(57)【要約】【課題】装置構成の小型化、製造コストの低廉化が可能でありながら、フィールドシーケンシャル方式におけるような色割れを発生させず、高品質のカラー画像を表示することができる単板式カラー表示装置を提供する。【解決手段】一枚の空間光変調素子１により赤色用、緑色用及び青色用の画像に応じた光変調を行いこれら変調光を合成してカラー表示を行う単板式カラー表示装置であり、空間光変調素子１において各色用の画像に応じた光変調が行われる各領域のそれぞれに互いに異なる入射角で照明光Ｒ，Ｇ，Ｂを入射させ、空間光変調素子１を経た各変調光を投射光学系２に入射させ、投射光学系２において、変調光のうちの少なくとも２つの光路を第１次集光点Ａ付近で折り曲げ、各変調光を結像面１０３において重ねて合成しカラー画像とする。【選択図】図２
2009198837.tif 000002
【特許請求の範囲】
【請求項１】
一枚の空間光変調素子における異なる領域により赤色用、緑色用及び青色用の画像に応じた光変調を行い、これら各変調がなされた変調光を結像させて結像面上において合成し、カラー画像を表示する単板式カラー表示装置であって、
前記空間光変調素子において赤色用の画像に応じた光変調を行う領域に赤色光を入射させる赤色照明手段と、
前記空間光変調素子において緑色用の画像に応じた光変調を行う領域に緑色光を入射させる緑色照明手段と、
前記空間光変調素子において青色用の画像に応じた光変調を行う領域に青色光を入射させる青色照明手段と、
前記空間光変調素子を経た各色の変調光を結像面上に結像させる投射光学系と
を備え、
赤色用の画像に応じた光変調を行う領域への前記赤色照明手段からの赤色光の入射角と、緑色用の画像に応じた光変調を行う領域への前記緑色照明手段からの緑色光の入射角と、青色用の画像に応じた光変調を行う領域への前記青色照明手段からの青色光の入射角とは、互いに異なっており、
前記投射光学系は、この投射光学系に入射された各色の変調光のうちの少なくとも２つの光路をこの投射光学系における第１次集光点付近で折り曲げる光路折曲素子を有しており、この光路折曲素子によって前記各色の変調光のうちの少なくとも２つの光路を折り曲げることによって、各色変調光を結像面上において重ねて合成しカラー画像とする
ことを特徴とする単板式カラー表示装置。
【請求項２】
前記結像面において前記各色変調光が重ねられて合成されたカラー画像を物点として、スクリーンに投射して結像させる投射レンズを有する
ことを特徴とする請求項１記載の単板式カラー表示装置。
【請求項３】
前記各色照明手段は、前記照明光としてレーザ光を発し、
前記空間光変調素子の近傍には、ディフューザが設置されている
ことを特徴とする請求項１又は請求項２に記載の単板式カラー表示装置。
【請求項４】
前記空間光変調素子を前記各色用の画像に応じて駆動する駆動回路を備え、
前記駆動回路は、前記赤色用、緑色用及び青色用の画像の上下左右反転処理を行うとともに、前記画像の大きさ及び形状について補正処理を行う
ことを特徴とする請求項１乃至請求項３のいずれか一に記載の単板式カラー表示装置。
【発明の詳細な説明】
【技術分野】
【０００１】
本発明は、一枚の空間光変調素子を用いてカラー表示を行う単板式カラー表示装置に関する。
【背景技術】
【０００２】
従来の単板式カラー表示装置として、１枚の空間光変調素子の表示面を３つの領域に分け、これら領域においてＲ、Ｇ、Ｂ各色の画像を同時に表示し、各領域をそれぞれの画像の色に対応した色の照明光で照明するようにしたカラー表示装置が記載されている。空間光変調素子の各領域を経た変調光は、色合成手段により合成され、カラー画像を表示するものがある。
【０００３】
このカラー表示装置は、単板式でありながら、各色の画像を同時に表示するため、カラーブレーキング現象が生ずることがなく、また、空間光変調素子として液晶表示パネルを使用することができる（例えば、特許文献１参照。）。
【０００４】
【特許文献１】特開平９−２６５１０６号公報
【発明の開示】
【発明が解決しようとする課題】
【０００５】
ところで、前述の特許文献１に記載された単板式カラー表示装置においては、色合成手段の構成が複雑であり、装置構成の小型化、製造コストの低廉化が困難である。また、単板にも拘わらず、投射光学系のバックフォーカスを大きくしなければならず、投射光学系の小型化を図ることができない。
【０００６】
さらに、このカラー表示装置においては、各色の照明光は、平行光の状態で空間光変調素子を照明するので、一の色の照明光が隣接する他色の領域にも侵入してしまい、混色が発生する虞がある。混色を防止するために各領域間に無表示領域を設けることが考えられるが、十分な無表示領域を確保すると、空間光変調素子が大型化してしまい、小型化という単板式のメリットが損なわれてしまう。
【０００７】
そこで、本発明は、前述の実情に鑑みて提案されるものであって、装置構成の小型化、製造コストの低廉化が可能でありながら、高品質のカラー画像を表示することができる単板式カラー表示装置を提供することを目的とする。
【課題を解決するための手段】
【０００８】
前述の課題を解決し、前記目的を達成するため、本発明に係る単板式カラー表示装置は、以下の構成のいずれか一を有するものである。
【０００９】
〔構成１〕
一枚の空間光変調素子における異なる領域により赤色用、緑色用及び青色用の画像に応じた光変調を行い、これら各変調がなされた変調光を結像させて結像面上において合成し、カラー画像を表示する単板式カラー表示装置であって、空間光変調素子において赤色用の画像に応じた光変調を行う領域に赤色光を入射させる赤色照明手段と、空間光変調素子において緑色用の画像に応じた光変調を行う領域に緑色光を入射させる緑色照明手段と、空間光変調素子において青色用の画像に応じた光変調を行う領域に青色光を入射させる青色照明手段と、空間光変調素子を経た各色の変調光を結像面上に結像させる投射光学系とを備え、赤色用の画像に応じた光変調を行う領域への赤色照明手段からの赤色光の入射角と、緑色用の画像に応じた光変調を行う領域への緑色照明手段からの緑色光の入射角と、青色用の画像に応じた光変調を行う領域への青色照明手段からの青色光の入射角とは、互いに異なっており、投射光学系は、この投射光学系に入射された各色の変調光のうちの少なくとも２つの光路をこの投射光学系における第１次集光点付近で折り曲げる光路折曲素子を有しており、この光路折曲素子によって各色の変調光のうちの少なくとも２つの光路を折り曲げることによって、各色変調光を結像面上において重ねて合成しカラー画像とすることを特徴とするものである。
【００１０】
〔構成２〕
構成１を有する単板式カラー表示装置において、結像面において各色変調光が重ねられて合成されたカラー画像を物点として、スクリーンに投射して結像させる投射レンズを有することを特徴とするものである。
【００１１】
〔構成３〕
構成１又は構成２を有する単板式カラー表示装置において、各色照明手段は、照明光としてレーザ光を発し、空間光変調素子の近傍には、ディフューザが設置されていることを特徴とするものである。
【００１２】
この単板式カラー表示装置においては、照明光として平行度の高い光を用いることにより、第１集光点の大きさを小さくすることができ、光路折曲手段を小型化し、安価にすることができる。特に、照明光としてレーザ光を用いることにより、効率よく明るい画像を表示することができる。
【００１３】
〔構成４〕
構成１乃至構成３のいずれか一を有する単板式カラー表示装置において、空間光変調素子を各色用の画像に応じて駆動する駆動回路を備え、駆動回路は、赤色用、緑色用及び青色用の画像の上下左右反転処理を行うとともに、画像の大きさ及び形状について補正処理を行うことを特徴とするものである。
【発明の効果】
【００１４】
構成１を有する本発明に係る単板式カラー表示装置においては、投射光学系は、この投射光学系に入射された各色の変調光のうちの少なくとも２つの光路をこの投射光学系における第１次集光点付近で折り曲げる光路折曲素子を有しており、この光路折曲素子によって各色の変調光のうちの少なくとも２つの光路を折り曲げることによって各色変調光を結像面上において重ねて合成しカラー画像とするので、投射光学系の小型化及び製造コストの低廉化を図ることができる。
【００１５】
構成２を有する本発明に係る単板式カラー表示装置においては、結像面において各色変調光が重ねられて合成されたカラー画像を物点として、スクリーンに投射して結像させる投射レンズを有するので、投射光学系を大型化することなく、画像の拡大率を大きくすることができる。
【００１６】
構成３を有する本発明に係る単板式カラー表示装置においては、各色照明手段は、照明光としてレーザ光を発し、空間光変調素子の近傍には、ディフューザが設置されているので、光路折曲手段の小型化が可能であり、また、照明光の利用効率が高いため、明るく、かつ、色再現性の良好なカラー表示を行うことができる。
【００１７】
構成４を有する本発明に係る単板式カラー表示装置においては、空間光変調素子を各色用の画像に応じて駆動する駆動回路は、赤色用、緑色用及び青色用の画像の上下左右反転処理を行うとともに、画像の大きさ及び形状について補正処理を行うので、各色の画像の合成を良好に行うことができる。
【００１８】
すなわち、本発明は、装置構成の小型化、製造コストの低廉化が可能でありながら、フィールドシーケンシャル方式におけるような色割れを発生させず、高品質のカラー画像を表示することができる単板式カラー表示装置を提供することができるものである。
【発明を実施するための最良の形態】
【００１９】
以下、本発明に係る単板式カラー表示装置の構成について図面を参照して詳細に説明する。
【００２０】
〔本発明の原理〕
図１は、本発明に係る単板式カラー表示装置の原理を示す側面図であり、（ａ）は、通常の光学系における投射光学系の作用を示す側面図であり、（ｂ）は、空間光変調素子に平行光が入射したときの投射光学系の作用を示す側面図であり、（ｃ）は、本発明に係る単板式カラー表示装置における投射光学系の作用を示す側面図である。
【００２１】
本発明に係る単板式カラー表示装置は、一枚の空間光変調素子の異なる領域により赤色用、緑色用及び青色用の画像に応じた光変調を行い、これら各変調光を投射して結像面上において重ねて合成し、カラー画像を表示するものである。
【００２２】
図１を用いて、本発明における各色光の画像の合成の原理を説明する。まず、図１中の（ａ）に示すように、自発光式の空間光変調素子１０１が表示する像を投射光学系１０２によりスクリーンに投射する場合には、空間光変調素子１０１上の各画素（発光点）からの光のうち、投射光学系１０２に到達したものがスクリーン１０３において一点に集光して、実像を結ぶ。この場合、空間光変調素子１０１からの光線の集光点は、スクリーン１０３上の結像面のみである。
【００２３】
次に、図１中の（ｂ）に示すように、ほぼ平行な赤色（以下、Ｒ）、緑色（以下、Ｇ）及び青色（以下、Ｂ）の各色の照明光を、図示しない赤色用の照明手段、緑色用の照明手段及び青色用の照明手段により、互いに異なる入射角で透過型の空間光変調素子１０１に入射させ、変調光を投射光学系１０２によってスクリーン１０３に投射した状態を考える。透過型の空間光変調素子１０１は、例えば、偏光板と液晶表示素子とが積層されて一体化されたものである。この場合には、空間光変調素子１０１上の各画素を通過した変調光は、ほぼ平行光であるため、投射光学系１０２の焦点位置（第１集光点Ａ）に一旦集光した後に、スクリーン１０３上に倒立像を結ぶ。Ｒ、Ｇ、Ｂ各色の照明光は、空間光変調素子１０１に対する入射角が異なるため、各変調光の第１集光点Ａは、別の点になる。
【００２４】
Ｒ、Ｇ、Ｂの各色の照明光が等しい入射角（例えば、垂直入射）で空間光変調素子１０１に入射した場合には、各色の変調光は、すべて同一の点（投射光学系１０２の焦点位置）に集光した後に、スクリーン１０３上に倒立像を結ぶ。このとき、各色の画像は、空間光変調素子１０１において表示された状態と同様に、スクリーン１０３上において並列に並べて表示される。この場合には、後述する本発明に係る単板式カラー表示装置における色合成を行うことができない。
【００２５】
そして、図１中の（ｃ）に示すように、Ｒ、Ｇ、Ｂ各色の変調光のうちの２つの第１集光点Ａに光路折曲手段となるミラー１０４，１０４を置いて、例えば、Ｒ、Ｂの２色の変調光の光路を折り曲げ、Ｇの変調光の結像位置に重ねて結像させることにより、各色の画像が合成される。このとき、一つの変調光について１枚のミラー１０４を用いて光路を折り曲げると、表示される像は鏡像となる。すなわち、Ｒ及びＢの像は、Ｇの像に対して鏡像となる。そこで、予め、例えば、Ｇの空間光変調素子１０１における表示画像のみを鏡像に変換しておくことにより、スクリーン１０３において各色の画像が正しく重ね合わされ、カラー画像を表示する単板式カラー表示装置が構成される。
【００２６】
なお、この単板式カラー表示装置の空間光変調素子１０１において、Ｒ、Ｇ、Ｂ各色の画像の表示位置は、必ずしも互いに離間していることを要しない。Ｒ、Ｇ、Ｂ各色の照明光の空間光変調素子１０１に対する入射角が互いに異なるため、各変調光の第１集光点Ａが異なる点になるため、例えば、Ｒの照明光がＧ用の画像表示領域に重なったとしても、混色が生ずることはない。したがって、この単板式カラー表示装置においては、照明手段の精度が低くてもよく、製造を容易化することができる。
【００２７】
ところで、投射型の画像表示装置（プロジェクタ）には、いわゆるフロントプロジェクション及びリアプロジェクションがあり、一般に、机上等に設置して使う場合と天井から吊下げて使う場合とがある。このような画像表示装置においては、一機種で各使用状況への対応が可能なように、表示画像の上下左右を反転させる画像処理回路を内蔵している。従来の３板方式や単板方式のカラー表示装置においては、空間光変調素子に入力する画像信号について、縦横それぞれに画素の順番を入れ替えれば反転像を得ることができる。しかし、本発明に係る単板式カラー表示装置においては、同様な方法で画像を反転させると、反転時にＲ用画像とＢ用画像とが入れ替わってしまうという問題が発生する。さらに、収差補正等を加えた画像においては、コンバージェンスが完全に狂ってしまう。そこで、本発明においては、各色の画像について補正をする前に、反転処理を行うようにする。
【００２８】
〔本発明の実施の形態〕
図２は、本発明の第１の実施における単板式カラー表示装置の構成を示す側面図である。
【００２９】
本発明に係る単板式カラー表示装置は、図２に示すように、空間光変調素子１において各色用の画像に応じた光変調を行う各領域のそれぞれに、互いに異なる入射角で、各領域に対応する色（Ｒ、Ｇ、Ｂ）の照明光を入射させる図示しない各色用の照明手段を有する。そして、この単板式カラー表示装置は、空間光変調素子１を経た各色の変調光を投射する投射光学系２を備えている。
【００３０】
投射光学系２は、この投射光学系２に入射された各変調光のうちの少なくとも２つの光路を第１次集光点Ａ付近で折り曲げる光路折曲手段となるダブプリズム（台形プリズム）４，４を有する。このダブプリズム４，４は、Ｒ、Ｂの変調光の光路を折り曲げて、各変調光を結像面であるスクリーン１０３上において重ねて合成し、カラー画像とする。
【００３１】
この単板式カラー表示装置においては、光路折曲手段としてダブプリズム４，４、または、直角三角プリズムを使用することにより、ミラーを用いるよりも、装置構成の小型化を図ることができる。また、スクリーン１０３の位置が変わった場合には、ダブプリズム４，４を面内において回転することにより、結像位置を調整することができる。
【００３２】
すなわち、この単板式カラー表示装置においては、空間光変調素子１において各色用の画像に応じた光変調がなされる各領域に、Ｒ、Ｇ、Ｂ各色の照明光を略平行光として異なる入射角で入射させ、空間光変調素子１を経た変調光を投射光学系２における第１集光点Ａ付近においてダブプリズム４，４により折り曲げ、スクリーン１０３上の結像面において３色の像を合成してカラー画像とする。
【００３３】
図３は、本発明の第２の実施における単板式カラー表示装置の構成を示す側面図である。
【００３４】
本発明に係る単板式カラー表示装置においては、図３に示すように、光路折曲手段として、２枚のシフトレンズ（光軸をオフセットさせたレンズ）５，５と、１枚の通常レンズ（光軸を通るレンズ）６とを使用することができる。
【００３５】
この場合には、光路を折り曲げられるＲ、Ｂの変調光により表示される画像の反転がないので、反転処理をせずに、そのまま正しいカラー画像を表示することができる。なお、シフトレンズ５，５及び通常レンズ６のパワーは、３色の像の大きさ（倍率）が等しくなるように調整されている。
【００３６】
図４は、本発明の第３の実施における単板式カラー表示装置の構成を示す側面図である。
【００３７】
本発明に係る単板式カラー表示装置においては、図４に示すように、光路折曲手段として、２個の直角三角プリズムからなる二回反射の折り曲げ素子７，７を用いることができる。
【００３８】
この折り曲げ素子７，７を用いた場合にも、Ｒ、Ｂの変調光により表示される画像の反転はなく、反転処理をせずに、そのまま正しいカラー画像を表示することができる。スクリーン１０３の位置が変わった場合には、折り曲げ素子７，７を構成する２つの直角三角プリズムうち一方を、面内において回転することにより調整することができる。
【００３９】
上述した各実施の形態においては、結像面はスクリーン１０３上にあり、色合成面もスクリーン１０３上にある。したがって、スクリーン１０３までの投射距離が一定ならば、色ずれの再調整などが不要であり、固定型のフロントプロジェクタやリアプロジェクタなどとしての構成に適している。
【００４０】
図５は、本発明の第４の実施における単板式カラー表示装置の構成を示す側面図である。
【００４１】
本発明に係る単板式カラー表示装置においては、図５に示すように、投射光学系２は、結像面Ｂにおいて各変調光を合成して実像を形成するものとし、この実像が、投射レンズ８によりスクリーン１０３に投射されるように構成してもよい。
【００４２】
この投射光学系２においては、スクリーン１０３までの投射距離が変化しても、投射レンズ８により焦点調整を行うだけで、色ずれのないカラー画像を表示することができる。この単板式カラー表示装置は、携帯式（ポータブル）のフロントプロジェクタとして構成することに適している。
【００４３】
図６は、本発明に係る単板式カラー表示装置において、反射型液晶表示パネルを空間光変調素子として用いた構成を示す斜視図である。
【００４４】
本発明に係る単板式カラー表示装置は、図６に示すように、空間光変調素子として反射型液晶表示パネル１１を用いて構成することができる。この単板式カラー表示装置においては、各色用の照明手段となるＲ、Ｇ、Ｂ各色の光源９から発せられた照明光は、偏光ビームスプリッタ（ＰＢＳ）１０に入射され、この偏光ビームスプリッタ１０の偏光反射面において反射されて、反射型液晶表示パネル１１に互いに異なる入射角で入射する。各色の照明光は、反射型液晶表示パネル１１において表示画像に応じて変調されて反射される。反射型液晶表示パネル１１により反射された変調光は、偏光ビームスプリッタ１０に入射され、偏光ビームスプリッタ１０の偏光反射面を透過して、投射光学系２に入射される。
【００４５】
投射光学系２は、前述した各実施の形態におけるものと同様の構成を有しており、各色の変調光を合成して、スクリーン１０３上にカラー画像を表示する。
【００４６】
なお、この単板式カラー表示装置においては、各色の照明光の空間光変調素子への入射角の差異は、３°乃至５°でよい。そのため、空間光変調素子としては、マイクロミラーデバイス（ＤＭＤ）のように、画素に対応する微細なミラーの角度を振って照明光を変調するようにした素子を使用することもできる。
【００４７】
図７は、本発明に係る単板式カラー表示装置において、照明手段の光源としてレーザ光源を用いた構成を示す斜視図である。
【００４８】
本発明に係る単板式カラー表示装置は、図７に示すように、各色用の照明手段として、照明光としてレーザ光を発するＲ、Ｇ、Ｂ各色のレーザ光源１２を用いて構成することができる。レーザ光源１２を用いる場合には、このレーザ光源１２から空間光変調素子１に至る光路上に、ディフューザ１３を設置することが望ましい。この単板式カラー表示装置において、空間光変調素子及び投射光学系２、または、空間光変調素子、投射光学系２及び偏光ビームスプリッタ１０からなる光学系は、前述の各実施の形態と同様に構成されている。
【００４９】
この単板式カラー表示装置においては、照明光として平行度の高いレーザ光を用いていることにより、第１集光点の大きさを小さくすることができるので、光路折曲手段を小型化し、安価にすることができる。また、照明光としてレーザ光を用いていることにより、効率よく明るいカラー画像を表示することができる。
【００５０】
レーザ光はパワーが大きく、光線の平行度が極めて良好であるが、界面反射による干渉縞やシンチレーションによるざらつき感を生じやすい。このような干渉縞やシンチレーションは、ディフューザ１３によって防止することができる。
【００５１】
このディフューザ１３としては、ホログラムディフューザを用いて、空間光変調素子の照明光の入射側近傍に設置し、また、反射型の空間光変調素子を用いる場合には、図７に示すように、偏光ビームスプリッタ１０の照明光の入射側近傍に設置することが有効であった。ディフューザ１３における拡散角は、小さすぎると効果が少なく、大きすぎると第１集光点のサイズが大きくなってしまい、各色の分離に不都合が生じるため、０．５°乃至５°程度が好ましいことがわかった。また、ホログラムディフューザにおける拡散各のムラが観察される場合には、ディフューザを複数枚用いるか、あるいは、照明光の入射方向に略直交する方向にディフューザを往復移動させるとよい。
【００５２】
図８は、本発明に係る単板式カラー表示装置における駆動回路の構成を示すブロック図である。
【００５３】
本発明に係る単板式カラー表示装置は、図８に示すように、空間光変調素子１を各色用の画像に応じて駆動する駆動回路１４を備えている。この駆動回路１４は、赤色用、緑色用及び青色用の画像の上下左右反転処理を行うとともに、画像の大きさ及び形状について補正処理を行うことができる。
【００５４】
この駆動回路１４は、図示しないフレームメモリから入力されるＲＧＢ画像信号を処理し、ドライバ回路１９に受け渡して空間光変調素子１を駆動する回路である。ドライバ回路１９から出力される画像信号は、１枚の空間光変調素子１により表示される画像信号になっている。したがって、空間光変調素子１は、従来の３板式のカラー表示装置において用いられている空間光変調素子を用いることができる。空間光変調素子１においては、画像表示領域が３つの領域に分割され、それぞれの領域において各色の画像に応じた光変調が行われる。
【００５５】
この駆動回路１４においては、まず、上下／左右反転回路１５により画像の上下反転処理を行う。前述した第１及び第４の実施の形態においては、この駆動回路１４において、Ｇのみの画像信号の反転処理を行う必要がある。また、表示装置の使用状態に対応して画像の上下反転、または、左右反転を行う場合には、各色の画像について反転処理を行う。
【００５６】
次に、倍率及び歪み補正回路１６により、画像の倍率及び歪みの補正処理を行う。Ｒ、Ｇ、Ｂの各画像信号は、必要に応じて画素密度を変換され、空間光変調素子１における表示領域の略１／３のサイズとされる。実際には、後述するコンバージェンス処理のための余裕度をもたせるため、さらに、数％乃至数１０％小さいサイズにするとよい。
【００５７】
各色の画像サイズは、互いに僅かに異ならせるとよい。これは、投射光学系２において色収差補正を行っているためである。この補正処理は、安価な光学系を用いるためには有効である。一般に、投射光学系２は、諸収差を補正するために多数のレンズを組み合わせて構成されている。この単板式カラー表示装置においては、画像処理により各色の画像サイズの補正ができるので、投射光学系２における構成レンズ枚数を最小限にすることができる。
【００５８】
例えば、倍率色収差が生ずると、色によってピント面の位置や画像の大きさに差が出るので、画像の位置をシフトしただけでは、全体の色合わせをすることができない。従来の３板式カラー表示装置においては、各空間光変調素子の位置をシフトさせてコンバージェンス調整を行っていたが、投射光学系において色収差がないことが前提条件となる。また、フィールドシーケンシャル方式の単板式カラー表示装置においても、投射光学系の色収差の影響は避けられない。
【００５９】
本発明に係る単板式カラー表示装置においては、画像信号の処理によって各色の画像の大きさを独立して調整することにより、コンバージェンス調整を行うことができるので、光学的、または、機械的な高精度の調整が不要である。
【００６０】
また、歪曲収差についても、倍率及び歪み補正回路１６により補正を行う。この単板式カラー表示装置においては、光路折曲手段におけるＲ、Ｇ、Ｂの光路長差などにより、結像面における像倍率ずれや歪を生じやすくなるが、倍率及び歪み補正回路１６による補正によって、これら像倍率ずれや歪を防止することができる。倍率及び歪み補正回路１６によりこれらの補正を行うことにより、調整用の光学部品を付加して調整するよりも、部品点数増加や部品製造精度の要求が緩和され、製造コストの高騰を避けることができる。
【００６１】
なお、照明光としてレーザ光を用いた場合には、照明光の平行度が高いためピントの深度が大きく、また、単一波長なので色分散による広がりはないに等しいので、倍率及び歪み補正回路１６による画像処理の効果が特に高い。
【００６２】
そして、各色の画像の位置関係を調整するデジタルコンバージェンス回路１８により、各色画像のコンバージェンス調整を行う。この処理は、スクリーン１０３の位置が変化したときの色ずれ補正としても使用することができ、光路折曲手段による機械的補正の補助として利用することもできる。
【００６３】
倍率及び歪み補正回路１６、デジタルコンバージェンス回路１８における補正量は、補正量入力部１７を介して入力される。そして、ドライバ回路１９を介して、空間光変調素子１の駆動が行われる。
【図面の簡単な説明】
【００６４】
【図１】本発明に係る単板式カラー表示装置の原理を示す側面図であり、（ａ）は、通常の光学系における投射光学系の作用を示す側面図であり、（ｂ）は、空間光変調素子に平行光が入射したときの投射光学系の作用を示す側面図であり、（ｃ）は、本発明に係る単板式カラー表示装置における投射光学系の作用を示す側面図である。
【図２】本発明の第１の実施における単板式カラー表示装置の構成を示す側面図である。
【図３】本発明の第２の実施における単板式カラー表示装置の構成を示す側面図である。
【図４】本発明の第３の実施における単板式カラー表示装置の構成を示す側面図である。
【図５】本発明の第４の実施における単板式カラー表示装置の構成を示す側面図である。
【図６】本発明に係る単板式カラー表示装置において、反射型液晶表示パネルを空間光変調素子として用いた構成を示す斜視図である。
【図７】本発明に係る単板式カラー表示装置において、照明手段の光源としてレーザ光源を用いた構成を示す斜視図である。
【図８】前記単板式カラー表示装置における駆動回路の構成を示すブロック図である。
【符号の説明】
【００６５】
１  空間光変調素子
２  投射光学系
４  ダブプリズム（台形プリズム）
５  シフトレンズ
６  通常レンズ
７  折り曲げ素子
８  投射レンズ
９  光源
１０  偏光ビームスプリッタ
１１  反射型液晶表示パネル
１２  レーザ光源
１３  ディフューザ
１４  駆動回路
１０３  スクリーン
【図１】
2009198837.tif 000003
【図２】
2009198837.tif 000004
【図３】
2009198837.tif 000005
【図４】
2009198837.tif 000006
【図５】
2009198837.tif 000007
【図６】
2009198837.tif 000008
【図７】
2009198837.tif 000009
【図８】
2009198837.tif 000010